(57)【要約】      （修正有）【課題】手術室などの清潔区域で未洗浄のシューズを使用したり、血液などの汚れからシューズを防御したりすることができる医療用のシューズカバーを提供する。【解決手段】シューズカバー１０は、踵部分が開口されスリッパ形状を呈するカバー本体１１と、カバー本体１１の開口部分に形成され、着用者の踝近傍に当接可能なカバー紐１２と、を有する。血液等の汚れからシューズを防御する機能を有するため、カバー本体とカバー紐とは不織布で形成する。或いは、血液等の汚れからシューズを隔離するために、カバー本体の表面を吸水性に富む不織布で形成し、シューズが位置するカバー本体の裏面を非透水性のもので形成してもよい。【選択図】図１
0003188600.tif 000002
【実用新案登録請求の範囲】
【請求項１】
踵部分が開口され、着用者の履いているシューズを包囲するカバー本体と、
着用者の踝近傍に当接して前記カバー本体を固定するカバー紐と、
を有するシューズカバー。
【請求項２】
前記カバー本体のアッパー部分先端からは、着用者の膝下から踝部分に亘るカバーシールドが前面に形成されている請求項１記載のシューズカバー。
【請求項３】
前記カバー紐は、前記カバーシールドの踝部分に有しており、前記カバー本体及び前記カバーシールドを固定する請求項２記載のシューズカバー。
【請求項４】
前記カバー紐は、一端がシューズカバーに固定され、他端が開放されている一対のものである請求項１から３のいずれか記載のシューズカバー。
【請求項５】
前記カバー本体の内側側面部はメッシュ構造である請求項１から４のいずれか記載のシューズカバー。
【考案の詳細な説明】
【技術分野】
【０００１】
本考案は、着用者の履いているシューズを包囲するシューズカバーに関する。
【背景技術】
【０００２】
医療現場における医師や看護師等の医療スタッフはシューズを着用しているが、シューズに患者の吐出物（血液、嘔吐物）などが付着することがある。この点、用途は異なるが、靴の上から履く防水のレインシューズカバーが提案されており、これによると、靴や靴下が濡れないし、汚れを防ぐことができる（特開２００１−３４６６０３）。
【考案の開示】
【考案が解決しようとする課題】
【０００３】
このように、靴の上から履くシューズカバーは幾つかあるものの、医療現場の状況に特化したシューズカバーは提案されていない。
【０００４】
本考案は、このような点に鑑みてなされたものであり、その目的は、着用者の履いているシューズを包囲する医療用のシューズカバーを提供することにある。
【課題を解決するための手段】
【０００５】
以上のような課題を解決するために、本考案は、以下のものを提供する。
【０００６】
（１）  踵部分が開口され、着用者の履いているシューズを包囲するカバー本体と、着用者の踝近傍に当接して前記カバー本体を固定するカバー紐と、を有するシューズカバー。
【０００７】
本考案によれば、カバー本体の踵部分が開口されていることから、スリッパを履くのと同じような感覚でシューズカバーを装着することができ、簡易かつ短時間での装着を可能としている。また、着用者の踝近傍に当接するカバー紐によって、着用者とシューズカバー（カバー本体）とを固定することができ、シューズカバー（スリッパ）が抜けるような脱落を防止している。また、シューズカバーの装着によって、手術室などの清潔区域で未洗浄（不潔）のシューズを使用することも可能である。また、踵部分が開口されることで通気性を向上し、長時間の着用を容易にすることができる。
【０００８】
（２）  前記カバー本体のアッパー部分先端からは、着用者の膝下から踝部分に亘るカバーシールドが前面に形成されているシューズカバー。
【０００９】
本考案によれば、カバーシールドによって着用者の膝下から踝部分を保護することができ、血液などの汚れから防御することができる。このカバーシールドが前面に形成されることで、両面を覆うよりも着脱性に優れ、必要最小限の範囲をカバーしている。また、裏面が開口されることで通気性を向上し、長時間の着用を容易にすることができる。
【００１０】
（３）  前記カバー紐は、前記カバーシールドの踝部分に有しており、前記カバー本体及び前記カバーシールドを固定するシューズカバー。
【００１１】
本考案によれば、カバー紐は、カバーシールドの自重による垂れを防止するとともに、カバー本体との装着も維持することができる。
【００１２】
（４）  前記カバー紐は、一端がシューズカバーに固定され、他端が開放されている一対のものであるシューズカバー。
【００１３】
本考案によれば、一対のカバー紐を結んで踝部分に固定することができ、シューズカバー（スリッパ）が着用者から抜けるような脱落を防止している。
【００１４】
（５）  前記カバー本体の内側側面部はメッシュ構造であるシューズカバー。
【００１５】
本考案によれば、カバー本体の内側側面部はメッシュ構造であることから、シューズとの摩擦力を高めることができ、シューズカバー（スリッパ）が着用者から抜けるような脱落を防止している。
【考案の効果】
【００１６】
以上説明したように、本考案のシューズカバーによれば、血液などの汚れからシューズを防御することができるとともに、着用者とシューズカバー（カバー本体）との着脱性に優れつつ、着用者の意図しない脱落を防止することができる。また、従来のシューズカバーでは防御箇所が密閉されるため、長時間使用する際に蒸れやすいなどの問題があったが、本考案のシューズカバーによれば、一部開放することで汚染に対する防御性を維持しつつ通気性を向上し、長時間の着用を容易にすることができる。
【図面の簡単な説明】
【００１７】
【図１】本考案の実施の形態に係るシューズカバーの斜視図である。
【図２】本考案の実施の形態に係るシューズカバーの斜視図である。
【考案を実施するための最良の形態】
【００１８】
以下、図面に基づいて本考案の実施の形態を説明する。
【００１９】
図１は、本考案の実施の形態に係るシューズカバー１０の斜視図であり、シューズカバー１０は、カバー本体１１と、カバー紐１２と、を有する。
【００２０】
カバー本体１１は、スリッパ形状を呈しており、踵部分が開口され、着用者の履いているシューズを包囲する。なお、踵部分の高さは任意である。血液等の汚れからシューズを防御する機能を有するため、このカバー本体１１は吸水性に富む不織布や非透水性であることが好ましい。或いは、血液等の汚れからシューズを隔離するために、カバー本体１１の表面を吸水性に富む不織布で形成し、シューズが位置するカバー本体１１の裏面を非透水性のもので形成してもよい。
【００２１】
カバー紐１２は、カバー本体１１の開口部分に形成され、着用者の踝近傍に当接可能となっている。図１のカバー紐１２は、両端がカバー本体１１に形成されているが、図２に示すカバー紐２３ａ，２３ｂのように、一端が固定され、他端が開放されている一対のものでもよい。また、シューズカバーの着脱を容易かつ迅速にできるためにも、カバー紐１２は人力でちぎれるように不織布で形成する。
【００２２】
図２は、本考案の実施の形態に係るシューズカバー２０の斜視図であり、シューズカバー２０は、カバー本体２１と、カバーシールド２２と、カバー紐２３ａ，２３ｂと、を有する。
【００２３】
カバー本体２１の基本的形状はカバー本体１１（図１参照）と同様であるが、さらに、カバー本体２１の内側側面部はメッシュ構造となっている。また、踵部分の高さは任意であり、図２のように踵全体を覆うものであっても、図１のように踵の一部を覆うものであっても、踵部分を覆わない（高さがゼロ）ものであってもよい。
【００２４】
カバーシールド２２は、開口された踵部分に形成され、着用者の膝下から踝部分に亘るように前面に形成されている。すなわち、カバー本体２１の開口部分前周に形成されているのではなく、その一部分の前足側に形成されることで、着用者の前面を覆うことができる。
【００２５】
カバー紐２３ａ，２３ｂは、一端が固定され、他端が開放されている一対のものである。カバー紐２３ａ，２３ｂを結ぶことで着用者の脚（踝近傍）に当接して固定することができ、紐を引きちぎることで容易に着脱可能である。
【産業上の利用可能性】
【００２６】
本考案に係るシューズカバーは、清潔区域でシューズ表面を清潔に保つことができ、血液などの汚れからシューズを防御することが可能なものとして有用である。
【符号の説明】
【００２７】
１０，２０  シューズカバー
１１，２１  カバー本体
１２，２３ａ，２３ｂ  カバー紐
２２        カバーシールド
【図１】
0003188600.tif 000003
【図２】
0003188600.tif 000004